(57)【特許請求の範囲】
【請求項１】
第１のサンプリングクロック周波数を有する同期信号を用いて、被測定系に入力する任意波形の入力信号を生成する入力信号生成ステップと、
第２のサンプリングクロック周波数を有する同期信号を用いて、前記被測定系から出力される被測定信号の離散値系への変換を行う信号変換ステップと、
前記第１のサンプリングクロック周波数と前記第２のサンプリングクロック周波数との周波数比に応じて前記入力信号の周波数特性を示す関数の逆関数である逆フィルタの位相を少なくとも補正する逆フィルタ補正ステップと、を有し、
補正後の前記逆フィルタを用いて前記被測定系のインパルス応答を計測することを特徴とする、
インパルス応答測定方法。
【請求項２】
前記入力信号生成ステップは、
同じ任意波形の前記入力信号を等間隔あるいは不等間隔で繰返し発生する信号発生器、または前記入力信号と同じ信号が繰返し記録された媒体と前記入力信号を繰返し再生する再生器を測定用信号源として用い、前記測定用信号源から発生される繰返し信号を前記入力信号として前記被測定系に入力し、
前記信号変換ステップは、
前記被測定信号を受信点で受信し、前記測定用信号源と前記受信点の間で共通の同期信号を使用せずに、前記被測定信号の波形から得られた各周期の波形情報を使用して前記被測定信号を切り分け、切り分けた各周期の時間のずれ量は基準とする周期と他の周期の相互相関の相関値が真の最大値となる時間のずれ量により求め、前記時間ずれの補正には各周期の波形を周波数領域の振幅と位相の情報に変換した後、前記時間ずれに相当する周波数ごとの位相ずれ情報に基づいて位相を補正し、先に変換し位相が補正された各周期の周波数ごとの振幅と位相の情報をベクトル量として加算平均し、
前記逆フィルタ補正ステップは、
前記被測定信号の自己相関あるいは繰り返す信号の隣接する信号間の相互相関によって求められる前記被測定信号の信号周期と、前記繰返し信号の周期とにより前記周波数比を求め、前記繰返し信号の周波数領域における前記逆フィルタの位相を前記周波数比に応じて補正し、
前記信号変換ステップによる加算平均の結果と、前記逆フィルタ補正ステップによる補正後の逆フィルタとの積を算出し、この算出結果を時間領域に変換して前記インパルス応答を計測することを特徴とする、
請求項１に記載のインパルス応答測定方法。
【請求項３】
前記信号変換ステップは、
前記時間ずれの補正に各周期を離散的フーリエ変換（ＤＦＴ）して前記周波数領域の振幅と位相の情報に変換した後、前記時間ずれに相当する周波数ごとの位相ずれ情報に基づいて位相を補正し、各周期の和をベクトル量として加算平均することを特徴とする、
請求項２に記載のインパルス応答測定方法。
【請求項４】
前記逆フィルタ補正ステップは、
前記自己相関または前記相互相関による相関値の最大値を補間して求めることを特徴とする、
請求項２または３に記載のインパルス応答測定方法。
【請求項５】
第１のサンプリングクロック周波数を有する同期信号を用いて、被測定系に入力する任意波形の入力信号を生成する入力信号生成手段と、
第２のサンプリングクロック周波数を有する同期信号を用いて、前記被測定系から出力される被測定信号の離散値系への変換を行う信号変換手段と、
前記第１のサンプリングクロック周波数と前記第２のサンプリングクロック周波数との周波数比に応じて前記入力信号の周波数特性を示す関数の逆関数である逆フィルタの位相を少なくとも補正する逆フィルタ補正手段と、を有し、
補正後の前記逆フィルタを用いて前記被測定系のインパルス応答を計測することを特徴とする、
インパルス応答測定装置。
【請求項６】
前記入力信号生成手段は、
同じ任意波形の前記入力信号を等間隔あるいは不等間隔で繰返し発生する信号発生器、または前記入力信号と同じ信号が繰返し記録された媒体と前記入力信号を繰返し再生する再生器を測定用信号源として用い、前記測定用信号源から発生される繰返し信号を前記入力信号として前記被測定系に入力し、
前記信号変換手段は、
前記被測定信号を受信点で受信し、前記測定用信号源と前記受信点の間で共通の同期信号を使用せずに、前記被測定信号の波形から得られた各周期の波形情報を使用して前記被測定信号を切り分け、切り分けた各周期の時間のずれ量は基準とする周期と他の周期の相互相関の相関値が真の最大値となる時間のずれ量により求め、前記時間ずれの補正には各周期の波形を周波数領域の振幅と位相の情報に変換した後、前記時間ずれに相当する周波数ごとの位相ずれ情報に基づいて位相を補正し、先に変換し位相が補正された各周期の周波数ごとの振幅と位相の情報をベクトル量として加算平均し、
前記逆フィルタ補正手段は、
前記被測定信号の自己相関あるいは繰り返す信号の隣接する信号間の相互相関によって求められる前記被測定信号の信号周期と、前記繰返し信号の周期とにより前記周波数比を求め、前記繰返し信号の周波数領域における前記逆フィルタの位相を前記周波数比に応じて補正し、
前記信号変換ステップによる加算平均の結果と、前記逆フィルタ補正ステップによる補正後の逆フィルタとの積を算出し、この算出結果を時間領域に変換して前記インパルス応答を計測することを特徴とする、
請求項５に記載のインパルス応答測定装置。
【請求項７】
前記信号変換手段は、
前記時間ずれの補正に各周期を離散的フーリエ変換（ＤＦＴ）して前記周波数領域の振幅と位相の情報に変換した後、前記時間ずれに相当する周波数ごとの位相ずれ情報に基づいて位相を補正し、各周期の和をベクトル量として加算平均することを特徴とする、
請求項６に記載のインパルス応答測定装置。
【請求項８】
前記逆フィルタ補正手段は、
前記自己相関または前記相互相関による相関値の最大値を補間して求めることを特徴とする、
請求項６または７に記載のインパルス応答測定装置。
【発明の詳細な説明】
【技術分野】
【０００１】
本発明は、音響機器・音響空間・電気信号の伝送線路等の被測定系の伝達特性を計測するためのインパルス応答測定方法およびインパルス応答測定装置に関し、特に、送信側と受信側の処理装置間で同期信号周波数が異なっていても正確に伝達特性を計測することができるインパルス応答測定方法およびインパルス応答測定装置に関する。
【背景技術】
【０００２】
従来、音響信号を再生する音響再生装置から再生されたインパルス応答信号によって、被測定系の周波数特性等の様々な音響特性を把握する技術が広く知られており、このインパルス応答信号を精度良く測定しようとするいくつかの方法が提案されている。
【０００３】
例えば、従来技術の一つとして、複数（Ｉ個）の同一信号（繰返し信号）を用いて音響機器、音響空間の伝達特性を測定し、この信号の繰返し周期でそれぞれの信号を同期加算平均することによって、ランダムな雑音を持つ信号に対する信号対雑音（Ｓ／Ｎ）比を向上(１０ｌｏｇＩ  ｄＢアップ)させることが行われている。この際、繰返し信号の繰返し周期に対して正確に同期加算するために、図２に示すように送信側と受信側で共通の同期信号（クロックパルス）を用いるのが一般的である。しかしながら、送信側と受信側でクロックパルスを共通にするには、送信側と受信側の測定装置の一体化、もしくはクロックパルスを送信側と受信側で共通にするための伝送路が必要である。
【０００４】
例えば、ホールや競技場のような大規模空間の音響測定において、空間そのものの伝達特性を測定するときには、試験用信号発生器（送信側）からの信号を音源用増幅器へ供給し、スピーカによって音を空間に放射し、受音点で受信して測定するが、広い空間では、場所による違いを把握するために、複数の測定点に亘って音を測定するのが普通である。この際、測定装置が同一のクロックパルスを用いるために、音を受信するマイクロホンにケーブルを引き回して測定するか、もしくは測定装置そのものをマイクロホンと共に測定点に移動させ、ケーブルによって、音源用増幅器を含むスピーカ側に接続する必要がある。
【０００５】
このため、クロックパルスを送信側と受信側で共通にしなくても正確に応答測定ができる非同期の測定システムが求められている。
【０００６】
本発明の発明者らは、非同期システムの受信側でＡ／Ｄ変換された連続する複数の各信号サンプリングデータ列を切り出し、その各データ列を離散フーリエ変換（ＤＦＴ／Ｄｉｓｃｒｅｔｅ  Ｆｏｕｒｉｅｒ  Ｔｒａｎｓｆｏｒｍ）処理をして、時間領域で同期加算するのではなく、周波数領域で同期加算する方法を見出した（特許文献１、非特許文献１参照）。
【０００７】
また、非同期システムにＴＳＰ（Ｔｉｍｅ  Ｓｔｒｅｔｃｈｅｄ  Ｐｕｌｓｅｓ）法を適用し、受信側でＡ／Ｄ変換された複数の同一信号のサンプリングデータ列を時間領域で同期加算するために、受信側で先頭にある信号データ列と、それに続く信号データ列を切り出し、切り出した先頭にある信号データ列を基準に、それに続く信号列データ間との相互相関処理を行って相互相関値のピークを求めることによって同期加算時における各信号データ列の位置を合わせて加算をする方法が提案されている（例えば、特許文献２参照）。
【０００８】
この方法では、前記した相互相関処理により、受信側のクロックでサンプリングして得られた各データ列の長さ（ビット数）と送信側の各データ列の長さ（ビット数）との違いを求める。そして、インパルス応答波形を送出するために同期加算後の信号と逆ＴＳＰ信号との畳み込み処理を時間領域で行うとき、逆ＴＳＰ信号を再サンプリング（生成信号数を補償）して、受信側のクロックでサンプリングすることによって得られる各データ列の長さ（クロックパルス数）に対応したデータ列の長さを有する補正逆ＴＳＰ信号を求めている。
【０００９】
また、低域の外来ノイズによる影響を最小限にするために各データ列間隔をランダムあるいは増減させる方法が提案されている（例えば、特許文献４、特許文献５参照）。
【００１０】
また、ＴＳＰ法（例えば、特許文献３、非特許文献２参照）は、インパルス応答のデジタルによる測定に多く使われている。ＴＳＰ信号は、高い周波数から低い周波数へ変化する信号、あるいは低い周波数から高い周波数へ変化する信号（周波数をスイープ（掃引）する信号）であって、インパルスを時間軸上で引き延ばすことによりエネルギーを増大させている。したがって、高いＳ／Ｎ比が得られるインパルス応答測定ができる。近年、ＴＳＰ法の改善がさらに試みられ、低域のパワーをさらに上げられるようなＴＳＰフィルタが提案されている（例えば、特許文献６、特許文献７、特許文献８参照）。
【先行技術文献】
【特許文献】
【００１１】
【特許文献１】特許第３７１８６４２号公報
【特許文献２】特開２００７−１５６３９３号公報
【特許文献３】特許第２７２５８３８号公報
【特許文献４】特開２００７−２３２４９２号公報
【特許文献５】特開平０６−２６５４００号公報
【特許文献６】特許第２８６７７６９号公報
【特許文献７】国際公開第２００６／０１１３５６号
【特許文献８】特許第３７６６９７５号公報
【非特許文献】
【００１２】
【非特許文献１】日野、土屋、遠藤,"非同期な測定系で同期加算を行う方法の検討",第１０回ＡＥＳリージョナルコンベンション東京  予稿集,２００１年６月
【非特許文献２】大賀寿郎、山崎芳雄、金田豊,"音響システムとデジタル処理"，電子情報通信学会誌ｐ.１５８−１５９，１９９５年
【発明の概要】
【発明が解決しようとする課題】
【００１３】
ところで、たとえばＣＤプレーヤを使った計測方式あるいは装置では、ＣＤプレーヤは、ディスクに記録されたＴＳＰ情報を検出し、Ｄ／Ａ変換器によりアナログ変換し、アンプやスピーカを介して被測定室内で放音する。そして、受信側のコンピュータでは、マイクを介してスピーカから放音された音を取り込み、Ａ／Ｄ変換器によってデジタル変換し、信号処理を実行し、インパルス応答測定をすることになる。
【００１４】
しかしながら、上記ＣＤプレーヤ側（送信側）のＤ／Ａ変換器の同期信号であるサンプリングクロックと、コンピュータ（受信側）のＡ／Ｄ変換器のサンプリングクロックの周波数（あるいは位相）が異なっているとき、つまり、送信側と受信側でサンプリングクロックが非同期である場合には、同じ波形を表すサンプリング数（標本化数）が異なり、測定される信号に誤差が生じるので、正確なインパルス応答を求めることができない。
【００１５】
また、上述の従来技術（例えば、特許文献２に記載の技術）では、送信時のＴＳＰ信号データ列に対する逆ＴＳＰ信号から再サンプリングすることによって補正逆ＴＳＰ信号データ列を生成することは容易でない。たとえば、大容量の波形メモリに時間軸に対して高分解能な逆ＴＳＰ信号データ列を記憶しておき、送信側と受信側の同期信号周波数比（サンプリングクロックパルス周波数比）に応じて、順次、必要な逆ＴＳＰ信号データ列を取り出して補正逆ＴＳＰ信号データ列を生成するといった複雑な処理が必要である。
【００１６】
本発明は、このような課題を解決するためになされたものであって、被測定系のインパルス応答を計測する際に、送信側と受信側のサンプリングクロックが非同期であっても、簡単な装置あるいは信号処理によって精度の高いインパルス応答計測ができるインパルス応答測定方法およびインパルス応答測定装置を提供することを目的とする。
【課題を解決するための手段】
【００１７】
本発明は、第１のサンプリングクロック周波数を有する同期信号を用いて、被測定系に入力する任意波形の入力信号を生成する入力信号生成ステップと、第２のサンプリングクロック周波数を有する同期信号を用いて、前記被測定系から出力される被測定信号の離散値系への変換を行う信号変換ステップと、前記第１のサンプリングクロック周波数と前記第２のサンプリングクロック周波数との周波数比に応じて前記入力信号の周波数特性で表現される関数の逆関数である逆フィルタの位相を少なくとも補正する逆フィルタ補正ステップと、を有し、補正後の前記逆フィルタを用いて前記被測定系のインパルス応答を計測することを特徴とする、インパルス応答測定方法である。
【００１８】
また、本発明は、第１のサンプリングクロック周波数を有する同期信号を用いて、被測定系に入力する任意波形の入力信号を生成する入力信号生成手段と、第２のサンプリングクロック周波数を有する同期信号を用いて、前記被測定系から出力される被測定信号の離散値系への変換を行う信号変換手段と、前記第１のサンプリングクロック周波数と前記第２のサンプリングクロック周波数との周波数比に応じて前記入力信号の逆フィルタの位相を少なくとも補正する逆フィルタ補正手段と、を有し、補正後の前記逆フィルタを用いて前記被測定系のインパルス応答を計測することを特徴とする、インパルス応答測定装置である。
【発明の効果】
【００１９】
本発明に係るインパルス応答測定方法およびインパルス応答測定装置によれば、被測定系のインパルス応答を計測する際に、送信側と受信側のサンプリングクロックが非同期であっても、簡単な装置あるいは信号処理によって精度の高いインパルス応答計測ができる。
【００２０】
また、ホールや競技場のような大規模空間の音響測定において、試験用信号発生器からの信号を音源用増幅器へ供給しスピーカによって音を空間に放射し、受音点で測定装置によって受信して測定する場合、敢えて試験用信号発生器と測定装置に同一の同期信号（クロックパルス）を使わなくても正しいインパルス応答計測ができる。このため、音を受信するマイクロホンにケーブルを引き回して音を測定したり、もしくは測定装置そのものをマイクロホンと共に測定点に移動させ、ケーブルによって音源用増幅器を含むスピーカ側に接続したりする必要がない。
【００２１】
また、すでに車に搭載された音響機器から、人が聴く位置（運転位置）までのインパルス応答特性を、その音響機器とはケーブルで接続されていない計測器によって計測することができる。たとえば、ＣＤに同期加算平均する繰り返しのＴＳＰデータを記録し、それを音響機器であるＣＤプレーヤで再生することによって音のインパルス応答特性を計測器で容易かつ高精度に測定することが可能となる。
【図面の簡単な説明】
【００２２】
【図１】非同期系システムにおけるＴＳＰ法によるインパルス応答測定の処理の流れの一例を示したブロック図である。
【図２】従来の同期システムの一例を示したブロック図である。
【図３】送信側と受信側のサンプリングクロック周波数の違いによる受信信号に対するサンプル数の変化の一例を示したグラフである。
【図４】連続系と離散系における送信側と受信側の同期信号の周波数比であるスケールファクタαに関する関係を模式的に示した図である。
【図５】環状シフトの処理を模式的に示した図である。
【図６】送信側のＴＳＰフィルタＨ(ｋ)と受信側のＴＳＰフィルタＨ(ｌ)の位相周波数特性を示した図である。
【図７】（ａ）同期加算する複数のデータ列が連続する場合のデータの並びを模式的に示した図である。（ｂ）同期加算する複数のデータ列が不等間隔の場合のデータの並びを模式的に示した図である。
【図８】非同期システムの具体例を示した図である。
【図９】（ａ）ＴＳＰ逆フィルタＨ−１(ｌ)を補正しなかった場合のインパルス波形の一例を示すグラフである。（ｂ）ＴＳＰ逆フィルタＨ−１(ｌ)を補正した場合のインパルス波形の一例を示すグラフである。
【図１０】ＴＳＰ波形ｈ(ｔ)の一例を示した図である。
【発明を実施するための形態】
【００２３】
以下、図面を用いて、本実施形態に係るインパルス応答測定方法およびインパルス応答測定装置について詳細に説明する。
【００２４】
＜１．全体構成＞
まず、図１を用いて、非同期系システムにおけるＴＳＰ法によるインパルス応答測定の処理の流れについて説明する。なお、非同期系システムにおける複数の同一の信号（繰返し信号）の高精度な周期の検出法と、周波数領域での同期加算平均である同期ベクトル加算平均については後述する。
【００２５】
同図に示すように、非同期系システム１は、互いに異なるサンプリングクロック周波数（ｆｓとｆ'ｓ）で動作する、送信側ユニット２と受信側ユニット３を備える。
【００２６】
＜１−１．送信側ユニット＞
送信側ユニット２では、周波数領域でのインパルス入力Ｉ(ｋ)を、伝達関数Ｈ(ｋ)のＴＳＰフィルタ４に入力することによって、ＴＳＰフィルタ４の出力であるＨ(ｋ)Ｉ(ｋ)が得られる。次に、このＴＳＰフィルタ４の出力であるＨ(ｋ)Ｉ(ｋ)に対して、逆離散フーリエ変換処理部５でＩＤＦＴ（Ｉｎｖｅｒｓｅ  Ｄｉｓｃｒｅｔｅ  Ｆｏｕｒｉｅｒ  Ｔｒａｎｓｆｏｒｍ）を実行することによって、送信側ユニット２のデータのサンプリングクロック周波数ｆｓに同期したサンプル列であるＴＳＰ信号ｈ(ｎ)が得られる。次に、このＴＳＰ信号ｈ(ｎ)をＤ／Ａ変換器６に通すことによってＴＳＰ信号ｈ(ｔ)が得られる。そして、このＴＳＰ信号ｈ(ｔ)を、インパルス応答特性ｇ(ｔ)である空間などからなる測定対象（被測定系）に入力することによって、被測定信号の出力ｘ(ｔ)＝ｈ(ｔ)＊ｇ(ｔ)（＊は畳み込み演算を表す）が得られる。
【００２７】
＜１−２．受信側ユニット＞
受信側ユニット３では、被測定系を通して得られた被測定信号ｘ(ｔ)（＝ｈ(ｔ)＊ｇ(ｔ)）を、サンプラー（あるいはＡ／Ｄ変換器）７において、受信側ユニット３のデータのサンプリングクロック周波数ｆ'ｓ＝ｆｓ／α（αは周波数比を表す）でサンプリングすることによって、受信側ユニット３のサンプリングクロック周波数ｆ'ｓに同期したサンプル列である出力信号ｘ(ｍ)が得られる。次に、この出力信号ｘ(ｍ)に対して、ＤＦＴ処理部８でＤＦＴを実行することによって、Ｘ(ｌ)が得られ、このＸ(ｌ)とＴＳＰ逆フィルタＨ−１(ｌ)９の伝達特性との乗算Ｈ−１(ｌ)Ｘ(ｌ)を行うことによってＧ'(ｌ)が得られる。次に、このＧ'(ｌ)に対してＩＤＦＴ処理部１０でＩＤＦＴを実行することによって、サンプル列であるｇ(ｍ)が得られ、このｇ(ｍ)をＤ／Ａ変換器１１に通すことによってインパルス応答波形ｇ(ｔ)が得られる。なお、この例で示したＤ／Ａ変換器６、１１には、入力される信号をＤ／Ａ変換し、アナログゲート等でパルス列を作り、アナログ低域フィルタで補間を行う機能が含まれている。
【００２８】
このように、受信側ユニット３では、複数の各ＴＳＰ信号によるインパルス応答出力ｘ(ｍ)をＤＦＴ処理し、周波数領域での同期ベクトル加算平均を実行した後、ＴＳＰフィルタの逆関数であるＴＳＰ逆フィルタＨ-1(ｌ)の伝達特性を乗ずるのであるが、この逆関数に対して、サンプリング周波数ずれの影響を考慮するとより高精度のインパルス応答測定ができる。以下、周波数領域での同期ベクトル加算平均と、ＴＳＰ逆フィルタＨ-1(ｋ)の補正原理について詳細に説明する。
【００２９】
＜２．周波数領域での同期ベクトル加算平均＞
まず、周波数領域での同期ベクトル加算平均について詳細に説明する。
【００３０】
（ステップ１）受信側ユニット３のＡ／Ｄ変換器７より、受信側ユニット３のサンプリングクロック周波数ｆ'ｓに同期して出力される同期加算平均対象の全信号データ列ｘ（ｍ）を読み出す。このとき、送信側ユニット２で決定されているデータフォーマットに基づいて、同期加算平均対象のデータ列の前に設けた同期データを基準にサンプリングデータ列が連続しているとして複数の各信号データ列を切り出す。
【００３１】
（ステップ２）先頭信号データ列とそれに続く信号データ間の相互相関を取り、相関値がピークとなる時間軸上の各信号データ列のサンプリングクロック数とサンプリングクロック間の位相で表現される位置誤差（位相差）あるいは同期位置を推定する。このような相互相関による各データ列の位置計測は、受信側（受信側ユニット３）のデータ列を長くできるＴＳＰ法によるインパルス応答計測には好適であり、データ列を長くすれば相互相関の値はノイズに影響されにくくなる。これは、信号とノイズ間及び一方のデータ列にのっているノイズと他方に乗っているノイズ間に相関がなくなるからである。
【００３２】
（ステップ３）相互相関値の正確なピーク点のもつ位置を求めるために相関形状の対称性を利用して、二次関数による補間を行う。これにより、同期位置の位相情報を正確に知ることができる。
【００３３】
（ステップ４）切り出された各データ列に対してＤＦＴ処理部８においてＤＦＴを実行する。受信側ユニット３のサンプリングクロック周波数が送信側ユニット２のサンプリングクロック周波数と異なるときは、切り出した各信号データ列の位置の位相はばらついている。このため、これら位置誤差（時間ずれ）に相当する周波数領域の各周波数に対する位相ずれ分を先に求めたＤＦＴデータに対して補正し、補正したＤＦＴデータについて周波数ごとの複素ベクトル加算平均を行う。これが同期ベクトル加算平均である。
【００３４】
ここで、位置誤差（時間ずれ）は周波数領域では位相の回りに対応している。時間ずれτと周波数領域での位相θとの関係について数式的に表現しておく。周波数領域での角周波数をω、各角周波数での位相回転量をθ(ω)とすると以下の式が成り立つ。
＜数式１＞
θ(ω)＝−ωτ、ω＝２πｆ  、τ＝[ＣＮ＋{Ｃφ/(２π)}]/ｆ'ｓ  ・・・  （１）
ただし、ｆ'ｓ：サンプリングクロック周波数
ＣＮ：位置誤差時間τ内に存在するサンプリングクロック数
Ｃφ：位置誤差時間τ間位相を２πＣＮで測定しきれない分のサンプリングクロック間位相
この値は、数値の表現範囲での分解能を持つことができるので、データ量を増加せずに精度を確保できる。この特長により、各信号データ列間の周期の時間ずれ量に見合うようＤＦＴした信号データの周波数毎の位相回転量を加減した上で、信号データ列全体における周波数毎にベクトル加算と平均処理をして、補正されたＤＦＴ（伝達関数）の結果Ｘ（ｌ）を得ることができる。
【００３５】
（ステップ５）同期加算した結果をＴＳＰ逆フィルタＨ-1(ｌ)９と乗算を行い、その結果をＩＤＦＴ処理部１０においてＩＤＦＴすることによって、インパルス応答波形ｇ（ｍ）を得る。
【００３６】
＜３．ＴＳＰ逆フィルタＨ-1(ｋ)の補正原理＞
次に、ＴＳＰ逆フィルタＨ-1(ｋ)の補正原理について詳細に説明する。
【００３７】
受信側ユニット３の応答波形のサンプル列ｘ(ｍ)は、送信側ユニット２のサンプリング周波数とは異なる周波数でサンプリングされているので、ＤＦＴ変換したＸ(ｌ)にＴＳＰ逆フィルタＨ-1(ｌ)を乗じてその結果をＩＤＦＴしてインパルス応答のパルス列を求めるためには、ＴＳＰ逆フィルタＨ-1(ｌ)が受信側ユニット３のサンプリング周波数に対応して生成されていなければならない。
【００３８】
送信側ユニット２のサンプリングクロック周波数ｆｓと受信側ユニット３のサンプリングクロック周波数ｆ'ｓとの比をα(＝ｆｓ/ｆ'ｓ)とする。
【００３９】
図３において受信側ユニット３では、α＞１のときは、送信側ユニット２と同一のサンプル総数Ｎで処理しようとした場合、検出信号幅が送信側ユニット２ではサンプル総数がＷＮ個であったものが受信側ユニット３ではＷＮＳ＝〔ＷＮ／α〕と縮小されてしまう（ここで、〔Ａ〕はＡを整数に丸め処理したことを表す）。つまり、受信側ユニット３を基準とする測定では波形が時間軸方向に縮小したように見える。
【００４０】
応答波形のサンプル列ｘ(ｍ)にＤＦＴを行いＸ(ｌ)を得て、これにＴＳＰフィルタＨ(ｋ)４の逆関数Ｈ−1(ｌ)を乗ずるとき、ＴＳＰフィルタＨ(ｋ)４をサンプリング周波数の変化分だけ補正して得られたＴＳＰ逆フィルタＨ−1(ｌ)９を使う必要がある。言い換えれば、受信側ユニット３では、自身のサンプリングクロック周波数ｆ'ｓに基づいて処理するので、あたかも検出波形が縮小したように見える。したがって、ここでは検出側での絶対時間は変わらないとし、サンプリング周波数の変化によって波形が伸縮したとして扱う。
【００４１】
このときの周波数領域との関係を見るために、受信側ユニット３で得られたサンプル列ｘ(ｍ)を連続なx(αt)とみなして、x(t)のフーリエ変換Ｘ(ｆ)における時間のスケールファクタαの関係を示す次の（２）式の公式（Ｅ.Ｏｒａｎ Ｂｒｉｇｈａｍ,"高速フーリエ変換" Ｐｒｅｎｔｉｃｅ−Ｈａｌｌ Ｉｎｃ,第３章(１９７４)参照）を利用して考察する。スケールファクタαは、先に述べた送信側のサンプリング周波数ｆｓと受信側のサンプリング周波数ｆ'ｓとの比である。
＜数式２＞
ｘ(αｔ)⇔(1/|α|)Ｘ(ｆ／α)  ・・・  （２）
これは定性的に言えば、α＞１とすると、時間領域の波形は時間軸側に縮小した形になるが、周波数領域では周波数軸上で拡大し、振幅は小さくなる。
【００４２】
図４は、連続系と離散系における時間のスケールファクタαに関する関係を模式的に描いた図であり、上段と中段には連続系に関する式（２）の関係を示し、下段には離散系ＤＦＴの関係を示している。
【００４３】
連続系において測定時間Ｔで時間長Ｗｔ及び周波数帯域−Ｆｍ〜＋Ｆｍをもつ信号ｘ(ｔ)の振幅周波数特性と位相周波数特性を上段に示し、スケールファクタα＞１の信号ｘ(αｔ)の振幅周波数特性と位相周波数特性を中段に示す。後者のスケールファクタα＞１の信号ｘ(αｔ)では、測定時間Ｔで時間長がＷｔ／αとなる波形となり、その周波数帯域が−αＦｍ〜＋αＦｍで、振幅周波数特性の振幅が１／αとなる。
【００４４】
このスケールファクタαの連続系の信号ｘ(αｔ)をＤＦＴするとき、信号のｘ(αｔ)が周期Ｔで繰り返され、周波数領域の帯域幅−Ｆｘ〜＋Ｆｘは、Ｆｘ＞αｍａｘＦｍ（ただし、αｍａｘはα＞０の最大値）の条件で設定する。ＤＦＴであるので周波数領域で基底周波数帯域が−Ｆｘ〜＋Ｆｘとなる周期２Ｆｘの周期関数となる。
【００４５】
このとき、時間軸のサンプル総数Ｎは高速フーリエ変換（ＦＦＴ／Ｆａｓｔ  Ｆｏｕｒｉｅｒ  Ｔｒａｎｓｆｏｒｍ）演算を考慮してＮ＝２ｉ(ただしｉは整数)とする。時間軸のサンプリング周波数ｆ'ｓはｆ'ｓ＝２Ｆｘの関係が成り立つので、時間周期ＴをＴ＝Ｎ／ｆ'ｓとなるように設定する。このとき周波数領域では、信号の周波数特性として1／Ｔごとの線スペクトルが現れ、帯域−αＦｍ〜＋αＦｍの特性が周波数軸上において周期２Ｆｘで繰り替えされる。２Ｆｘ／(１／Ｔ)＝Ｎとなるので、周波数領域では、基底離散周波数帯域が−Ｎ／２〜＋Ｎ／２−１となる周期Ｎの周期関数である。離散信号列が周期Ｔで繰り返すとして扱っているので、ＤＦＴ後の周波数領域では１／Ｔごとの線スペクトルが現れる。
【００４６】
ここまでは、スケールファクタαがあるときの離散時間の取り扱いを示した。また、図４は模式的に示した図でありＴＳＰ信号による実際の応答波形ｘ(ｔ)をかなり簡略して描いている。また、ＴＳＰフィルタＨ(ｋ)４の出力Ｈ(ｋ)Ｉ(ｋ)をＩＤＦＴ処理部５でＩＤＦＴした信号列ｈ(ｎ)は、そのままでは先頭部分には信号が現れないので、図５に示す環状シフトを行ったことにしている。つまり先頭の信号列を後方にシフトしているが、ＤＦＴは周期性を前提としているのでこのようにしても結果は変わらない。
【００４７】
次に、受信側ユニット３の応答波形のサンプル列ｘ(ｍ)が、送信側ユニット２のサンプリングクロック周波数とは異なる周波数でサンプリングされているときの補正されたＴＳＰ逆フィルタＨ−1(l)を導出する。
ここで、ＴＳＰフィルタ(伝達関数)あるいは離散的フーリエ変換（ＤＦＴ）Ｈ(ｋ)は以下の式が提案されている（例えば、特許文献３参照）。
＜数式３＞
Ｈ(ｋ)＝ｅｘｐ(ｊβｋ2)      ０≦ｋ≦Ｍ／２（Ｍは整数）
Ｈ＊(Ｍ−ｋ)＝ｅｘｐ{−ｊβ(Ｍ−ｋ)２}      (Ｍ／２)＋１＜ｋ＜Ｍ
β(Ｍ／２)２＝２Ｌπ⇔β＝８Ｌπ／Ｍ２(Ｌは整数)
・・・  （３）
この式においてＮ≧αｍａｘＭの条件が成り立つＮ点ＤＦＴを考慮し、かつ式（３）を参考にして、以下の式（４）に変形する。図４のように周期Ｎの繰り返し特性となる。
＜数式４＞
Ｈ(ｋ)＝ｅｘｐ(ｊβｋ２)      ０≦ｋ≦Ｍ／２−１
Ｈ＊(ｋ)＝ｅｘｐ(−ｊβｋ２)          (Ｍ／２)≦ｋ＜０
Ｈ(ｋ)＝０      −Ｎ／２≦ｋ≦−(Ｍ／２＋１)及び(Ｍ／２)≦ｋ≦Ｎ／２−１
β＝８Ｌπ／Ｍ２(Ｌは整数)
・・・  （４）
上記フーリエ変換対の式ｘ(αｔ)⇔(１／｜α｜)Ｘ(ｆ／α)より検出波形の時間軸がα倍されたとするとフーリエ変換した周波数軸は１／α倍となる。図４を用いて考察したスケールファクタαのＤＦＴへの展開を踏まえると、送信側ユニット２のＴＳＰフィルタＨ(ｋ)と受信側ユニット３のＴＳＰフィルタＨ(ｌ)の位相θの特性は図６のようになる。なお、同図はα＞１として描いている。
【００４８】
式(４)においてｋにｌ／αを代入し、振幅を１／｜α｜としたＤＦＴのＨ(ｌ)を求める。
＜数式５＞
Ｈ(ｌ)＝(１／｜α｜)ｅｘｐ{ｊβ(ｌ／α)２}
＝(１／｜α｜)ｅｘｐ{ｊ(β／α２ )ｌ２},      ０≦ｌ≦〔αＭ／２〕−１
Ｈ＊(ｌ)＝(１／｜α｜)ｅｘｐ{−ｊ(β／α２)ｌ２},      −〔αＭ／２〕≦ｌ＜０
Ｈ(ｌ)＝０,−Ｎ／２≦ｌ≦−〔αＭ／２〕−１及び〔αＭ／２〕≦ｌ≦Ｎ／２−１
β＝８Ｌπ／Ｍ２
・・・  （５）
ただし、〔αＭ／２〕はαＭ／２を計算し整数に丸めた値を示す。丸めはたとえば四捨五入をする。
【００４９】
ｋ＝−〔αＭ／２〕のときβ＝８Ｌπ／Ｍ２をＨ＊(ｌ)に代入すると、Ｈ＊(ｌ)＝(１／｜α｜)ｅｘｐ{−ｊ(２Ｌπ)}となり、図６における位相特性は、ｋ＝−〔αＭ／２〕での位相が−２Ｌπとなることがわかる。
【００５０】
Ｈ(ｌ)の逆関数あるいは逆フィルタＨ−１(ｌ)は以下となる。
＜数式６＞
Ｈ−１(ｌ)＝｜α｜ｅｘｐ{−ｊ(β／α２)ｌ２},      ０≦ｌ≦〔αＭ／２〕−１
Ｈ＊−１(ｌ)＝｜α｜ｅｘｐ{ｊ(β／α２)ｌ２},      −〔αＭ／２〕≦ｌ＜０
Ｈ−１(ｌ)＝０,−Ｎ／２≦ｌ≦−〔αＭ／２〕−１及び〔αＭ／２〕≦ｌ≦Ｎ／２−１
β＝８Ｌπ／Ｍ２
α＝ｆｓ／ｆ'ｓ
ｆｓ：送信側のサンプリング周波数
ｆ'ｓ：受信側のサンプリング周波数
・・・  （６）
なお、ここでは被測定系のインパルス応答の時間長ＴＬは、図４における受信側の周期Ｔ以下であるとしている。
【００５１】
このように受信側のサンプリング周波数がずれたときでも、式(６)のＴＳＰ逆フィルタＨ−１(ｌ)を用いれば正確なインパルス応答列ｇ(ｍ)を得ることができる。また、補正ＴＳＰ逆フィルタＨ−１(ｌ)は、数値の表現範囲での分解能で補正できるので、データ量を増加せずに精度を確保できる。
【００５２】
＜４．複数データ列の構成＞
ここで、複数の同期加算データ列が連続している場合と、各データ列間隔が一定でない場合について検討する。特に後者は、低域の外来ノイズに対して強くするために提案されている（特許文献４．特許文献５参照）。
【００５３】
（１）複数のデータ列が連続している場合(図７ａ参照)
このときのスケールファクタαは、データ列全体の自己相関を取るかあるいは隣接するデータ列の相互相関を取れば周期（隣接するデータ列間の時間差）が求まるので、これにより送信側の予め決められた周期（隣接するデータ列間の時間差）と比較して求められる。前記相互相関処理によって周期を求めるとき補間処理をして精度を上げる方法は、上記した同期加算平均を取るときと同様である。同期加算する先頭のデータ列は回路系の過渡応答等の影響で波形が安定していない場合は、同期加算平均データ列としては使わない。
【００５４】
（２）各データ列が不等間隔の場合(図７ｂ参照)
この場合は、同期加算平均するデータの先端部が過渡応答の影響を受けないようにするため、あるいはその後端部が切り出したときにデータを失わないようにする必要がある。そのために、２つ以上のＮ点信号データブロックを一塊としたデータブロックとし、このデータブロックの間隔を変えてデータ列を構成する。過渡応答あるいは切り出し時のデータ損失を伴わないのであれば、１つのＮ点信号データブロックを一塊としたデータブロック構成でも良い。
【００５５】
データの切り出しは、同期加算対象のデータ列の前に設けた同期データを基準にサンプリングデータ列が予め決められたフォーマットで連続しているとして各信号データ列を切り出す。そして相互相関によって切り出した各データ列の位相誤差を求める。また隣接するデータ列の相互相関を取ることにより、隣接するデータ列間の時間差を測定し、その時間差と送信側で予め決められたデータ列間の長さ（データ列間の時間差）と比較して、スケールファクタαを求める。
【００５６】
このように、本実施形態に係るインパルス応答計方法およびインパルス応答計測装置によれば、非同期システムにおいても、同期加算するデータ列が連続でも、あるいはそれらの間隔が一定でなくても精度の高い同期加算が実行できる。
【００５７】
以上説明したように、本実施形態に係るインパルス応答測定装置は、第１のサンプリングクロック周波数（例えば、ｆｓ）を有する同期信号を用いて、被測定系に入力する任意波形の入力信号を生成する入力信号生成手段（例えば、送信ユニット２のＤ／Ａ変換器６など）と、第２のサンプリングクロック周波数（例えば、ｆ'ｓ）を有する同期信号を用いて、前記被測定系から出力される被測定信号の離散値系への変換を行う信号変換手段（例えば、受信ユニット３のＡ／Ｄ変換器７やＤＦＴ変換部８）と、前記第１のサンプリングクロック周波数と前記第２のサンプリングクロック周波数との周波数比（例えば、α）に応じて前記入力信号の逆フィルタ（例えば、ＴＳＰ逆フィルタＨ-1(ｋ)）の位相を少なくとも補正する逆フィルタ補正手段と、を有し、補正後の前記逆フィルタを用いて前記被測定系のインパルス応答を計測することを特徴とする、インパルス応答測定装置である。なお、「入力信号の逆フィルタ」とは、入力信号の離散的周波数特性で表現される関数の逆関数となる伝達関数のことである。
【００５８】
本実施形態に係るインパルス応答測定装置（またはインパルス応答測定方法）によれば、被測定系のインパルス応答を計測する際に、送信側と受信側のサンプリングクロックが非同期であっても、簡単な装置あるいは信号処理によって精度の高いインパルス応答計測ができる。
【００５９】
また、ホールや競技場のような大規模空間の音響測定において、試験用信号発生器からの信号を音源用増幅器へ供給しスピーカによって音を空間に放射し、受音点で測定装置によって受信して測定する場合、敢えて試験用信号発生器と測定装置に同一の同期信号（クロックパルス）を使わなくても正しいインパルス応答計測ができる。このため、音を受信するマイクロホンにケーブルを引き回して音を測定したり、もしくは測定装置そのものをマイクロホンと共に測定点に移動させ、ケーブルによって音源用増幅器を含むスピーカ側に接続したりする必要がない。
【００６０】
さらに、すでに車に搭載された音響機器から、人が聴く位置（運転位置）までのインパルス応答特性を、その音響機器とはケーブルで接続されていない計測器によって計測することができる。たとえば、ＣＤに同期加算平均する繰り返しのＴＳＰデータを記録し、それを音響機器であるＣＤプレーヤで再生することによって音のインパルス応答特性を計測器で容易かつ高精度に測定することが可能となる。
【００６１】
なお、前記入力信号生成手段は、同じ任意波形の前記入力信号を等間隔あるいは不等間隔で繰返し発生する信号発生器、または前記入力信号と同じ信号が繰返し記録された媒体（例えば、図８のＣＤ１２）と前記入力信号を繰返し再生する再生器（例えば、ＣＤプレーヤ１３）を測定用信号源として用い、前記測定用信号源から発生される繰返し信号を前記入力信号として前記被測定系に入力し、前記信号変換手段は、前記被測定信号を受信点で受信し、前記測定用信号源と前記受信点の間で共通の同期信号を使用せずに、前記被測定信号の波形から得られた各周期の波形情報を使用して前記被測定信号を切り分け、切り分けた各周期の時間のずれ量は基準とする周期と他の周期の相互相関の相関値が真の最大値となる時間のずれ量により求め、前記時間ずれの補正には各周期の波形を周波数領域の振幅と位相の情報に変換した後、前記時間ずれに相当する周波数ごとの位相ずれ情報に基づいて位相を補正し、先に変換し位相が補正された各周期の振幅と位相の情報をベクトル量として加算平均し、前記逆フィルタ補正手段は、前記被測定信号の自己相関あるいは繰り返す信号の隣接する信号間の相互相関によって求められる前記被測定信号の信号周期と、前記繰返し信号の周期とにより前記周波数比を求め、前記繰返し信号の周波数領域における前記逆フィルタの位相を前記周波数比に応じて補正し、前記信号変換ステップによる加算平均の結果と、前記逆フィルタ補正ステップによる補正後の逆フィルタとの積を算出し、この算出結果を時間領域に変換して前記インパルス応答を計測してもよい。
【００６２】
このような構成とすれば、送信側と受信側のサンプリングクロックが非同期であっても、簡易で精度の高い同期加算平均による雑音低減手法を利用することができるので、インパルス応答測定において、現場の作業性を機動性のあるものにし、測定方法や測定装置を軽便かつ簡易にすることができる上に、インパルス応答測定の精度をさらに向上させることができる。
【００６３】
また、前記信号変換手段は、前記時間ずれの補正に各周期を離散的フーリエ変換（ＤＦＴ）して前記周波数領域の振幅と位相の情報に変換した後、前記時間ずれに相当する周波数ごとの位相ずれ情報に基づいて位相を補正し、各周期の周波数ごとの和を複素ベクトル量として加算平均してもよい。
【００６４】
また、前記逆フィルタ補正手段は、前記自己相関または前記相互相関による相関値の最大値を補間して求めてもよい。
【実施例１】
【００６５】
本発明に係るインパルス応答計測方法の一例として、すでに車に搭載された音響機器から、人が聴く位置（運転位置）までの応答特性を、音響機器と計測器とをケーブル接続しないで計測する方法について説明する。
【００６６】
図８に示すように、このインパルス応答計測方法では、同期加算平均する繰り返しのＴＳＰデータをＣＤに記録し、このＣＤを音響機器であるＣＤプレーヤで再生し、この再生音を計測器（オーディオサウンドアナライザ１６（以下、ＡＳＡ１６と言う場合がある））で測定する。
【００６７】
上記図１を併せて参照し、本実施例をより詳細に説明する。ＣＤ１２には、複数個の同一のＴＳＰデータ列ｈ(ｎ)が連続して記録されている。本実施例では、ＣＤ１２に記録されたデータをＣＤプレーヤ１３によって読み出し、読み出した信号ｈ(ｔ)をスピーカ１４に供給する。
【００６８】
スピーカ１４より出力された音は、マイクロホン１５によって電気信号に変換された後に、ＡＳＡ１６に入力される。これにより、ＡＳＡ１６では、検出アンプ出力（応答波形）ｘ(ｔ)を得ることになる。なお、ＡＳＡ１６が得た応答波形ｘ(ｔ)には、空間の特性とスピーカ１４の特性が含まれている。ＡＳＡ１６は、応答波形の連続した複数のデータ列ｘ(ｍ)を、ＵＳＢなどのインターフェースを介してＰＣ（パーソナルコンピュータ）１７へ転送する。
【００６９】
ＰＣ１７は、ＣＤ１２に記録されたデータフォーマットに基づいて、同期加算対象のデータ列の前に設けた同期データを基準にサンプリングデータ列が連続しているとして複数の各信号データ列を切り出し、相互相関処理によって各データ列ｘ(ｍ)間の位置誤差（時間差、および自己相関によって繰り返しの信号周期を求めて入力側とのサンプリング周波数比であるスケールファクタαを求める。続いて、ＰＣ１７は、各データ列ｘ(ｍ)に対してＤＦＴ処理部８でＤＦＴを実行して各Ｘ(ｌ)を求め、先に求めたデータ位置情報によって補正位相量を求めて各Ｘ(ｌ)の周波数ごとの位相を補正する。続いて、ＰＣ１７は、複数ある位相補正された各Ｘ(ｌ)に対して同期ベクトル加算を行う。最後に、ＰＣ１７は、スケールファクタαで補正されたＴＳＰ逆フィルタＨ−１(ｌ)関数９を求め、同期ベクトル加算平均結果のＸ(ｌ)との乗算Ｇ'(ｌ)＝Ｈ−１(ｌ)Ｘ(ｌ)を実行し、その結果を、ＩＤＦＴ処理部１０で高速逆フーリエ変換（ＩＦＦＴ／Ｉｎｖｅｒｓｅ  Ｆａｓｔ  Ｆｏｕｒｉｅｒ  Ｔｒａｎｓｆｏｒｍ）処理し、インパルス応答列ｇ(ｍ)を生成し、表示部にこの結果を示す。
【００７０】
本実施例では、送信側のデータフォーマットとして、同期加算対象のデータ列の前に同期データ列を設けたので、受信側では、受信信号のデータ中の同期データ列と同期を取ることによって同期位置が判定できる。つまりデータの存在場所を知ることができる。しかしながら、同期データを設けないで最初にデータが現れた位置を基準としてデータ処理をしても良い。
【００７１】
また、同期データと受信側で得られた同期加算対象の全信号データ列を最初に同期加算する単位に切り出すために、本実施例では、送信側のデータフォーマットが既知であることを利用して連続するデータ列を切り出した。しかしながら、同期加算平均対象の同一の繰り返しデータ列が連続しているのであれば、自己相関を実行してデータの繰り返し周期を求めて各データ列が切り出せる。
【００７２】
次に、本実施形態に係るＴＳＰ逆フィルタＨ−１(ｌ)の有効性を音響空間など被測定対象のない状態でのシミュレーションによって、その効果を確認する。そのために送信側のサンプリング周波数がずれて、受信側の波形が時間方向にずれたとしたときに、ＴＳＰ逆フィルタを補正したときとしないときで、インパルス波形がどうなるかを調べた。
【００７３】
なお、シミュレーションは以下の条件で実施した。同期加算回数は５回、サンプリング周波数はｆｓ＝４４．１ｋＨｚ、式（４）および式（６）に使った定数は、Ｎが６５５３６、Ｌが８１９２、Ｍが６５５３６×α、αが０．９９９(−０．１％)、Ｔが約１．５秒である。このシミュレーション結果を図９に示す。また、このときのＴＳＰ波形ｈ（ｔ）を図１０に示す。
【００７４】
図９ａに示すように、ＴＳＰ逆フィルタＨ−１(ｌ)を補正しないとインパルス波形とは程遠い波形となってしまうが、図９ｂに示すように、ＴＳＰ逆フィルタＨ−１(ｌ)を補正すれば、非同期システムの送信側と受信側のサンプリング周波数が異なっても精度の高いインパルス波形が得られることがわかる。
【００７５】
なお、本発明に係るインパルス応答測定方法およびインパルス応答測定装置の構成は、上記実施形態で示した構成に限定されるものではなく、本発明の要旨を逸脱しない範囲内において種々変更を加え得ることは勿論である。
【００７６】
したがって、例えば、上記実施形態では、インパルス応答測定の処理において、周波数領域での同期ベクトル加算平均を実行する例を示したが、例えば、インパルス応答測定にそれほど高い精度が要求されない場合には、周波数領域での同期ベクトル加算平均を実行せずにインパルス応答測定を行ってもよい。
【００７７】
すなわち、本発明に係るインパルス応答測定方法およびインパルス応答測定装置は、第１のサンプリングクロック周波数を有する同期信号を用いて、被測定系に入力する任意波形の入力信号を生成し、第２のサンプリングクロック周波数を有する同期信号を用いて、前記被測定系から出力される被測定信号の離散値系への変換を行い、前記第１のサンプリングクロック周波数と前記第２のサンプリングクロック周波数との周波数比に応じて前記入力信号の逆フィルタの位相を少なくとも補正し、補正後の前記逆フィルタを用いて前記被測定系のインパルス応答を計測するものであればよい。
【産業上の利用可能性】
【００７８】
本発明に係るインパルス応答測定方法およびインパルス応答測定装置は、音響機器・音響空間・電気信号の伝送線路等の被測定系の伝達特性を計測するために利用することができる。
【符号の説明】
【００７９】
１  非同期系システム
２  送信側ユニット
３  受信側ユニット
４  ＴＳＰフィルタ
５  ＩＤＦＴ処理部
６、１１  Ｄ／Ａ変換器
７  サンプラー（あるいはＡ／Ｄ変換器）
８  ＤＦＴ処理部
９  ＴＳＰ逆フィルタＨ−１(ｌ)
１０  ＩＤＦＴ処理部
１２  ＣＤ
１３  ＣＤプレーヤ
１４  スピーカ
１５  マイクロホン
１６  オーディオサウンドアナライザ（ＡＳＡ）
１７  ＰＣ
【図１】
0005540224.tif 000002
【図２】
0005540224.tif 000003
【図３】
0005540224.tif 000004
【図４】
0005540224.tif 000005
【図５】
0005540224.tif 000006
【図６】
0005540224.tif 000007
【図７】
0005540224.tif 000008
【図９】
0005540224.tif 000009
【図８】
0005540224.tif 000010
【図１０】
0005540224.tif 000011